(57)【要約】【課題】ピアノに載置された楽譜のページが演奏中に自然に捲れてしまうのを防ぐと共に演奏者の身長（座高）に応じた楽譜の上下位置の調整が詳細に行えるような低コストで使い勝手のよい器械を提供すること。【解決手段】クリップ１は、クリップ部１０ａとクリップ部１０ｂとが紐２０を介して互いに連結されて成る。クリップ部１０ａは、穴部１１２ａ、切欠部１１３ａ、補助クリップ部１２２ａ等を備える。クリップ１は、クリップ部１０ａの穴部１１２ａ、切欠部１１３ａにより紐２０の長さ調整を自在に行い、補助クリップ部１２２ａにより、捲られる又は捲られたページ分をクリッピンする。【選択図】図２
0003122648.tif 000002
【実用新案登録請求の範囲】
【請求項１】
紐と、該紐の各端部にそれぞれ書類を挟むための二つのクリップ部とを備えたクリップにおいて、
前記各クリップ部は、表裏に貫通する穴部と切欠とが形成され、前記紐が該穴部及び切欠部に通されて該紐と連結していることを特徴とするクリップ。
【請求項２】
紐と、該紐の各端部にそれぞれ書類を挟むための二つのクリップ部とを備えたクリップにおいて、
前記各クリップ部は、表裏に貫通する二つの穴部が形成され、前記紐が該二つの穴部の各々に通されて該紐と連結していることを特徴とするクリップ。
【請求項３】
前記クリップ部は、
捲られるページ分又は捲られたページ分を挟んで保持するための補助クリップ部を備えたことを特徴とする請求項１又は２に記載のクリップ。
【考案の詳細な説明】
【技術分野】
【０００１】  本発明は、楽譜等の書物の閲覧時にページが自然に捲れるのを防ぐために用いる書類ばさみや紙ばさみ等のクリップ（ｃｌｉｐ）に関する。
【背景技術】
【０００２】  従来、書物等の閲覧時にページが自然に捲れるのを防ぐための技術は、数多く考案されている。
特に、ピアノに楽譜を置く場合には、楽譜のページが演奏中に自然に捲れてしまうのを防ぐだけでなく、更に、演奏者の身長（座高）に応じて楽譜の位置を上下させる必要が生じるが、このための技術も種々考案されている。
【考案の開示】
【考案が解決しようとする課題】
【０００３】  しかし、上記従来技術には、次のような問題点がある。すなわち、従来では、複雑なメカニズムを有する機器を用いることにより、楽譜のページが演奏中に自然に捲れてしまうのを防ぐと共に演奏者の身長（座高）に応じた楽譜の上下位置の調整を行うようにしている。
このため、コスト高となり、不経済である。更に、このような機器をピアノに設置すれば、ピアノに対して余分な負荷（荷重）がかかり、好ましくない。更に、このような機器は寸法や重量が大きいため、大変扱い難い。更に、機器の規格に沿わないような楽譜の上下位置の微調整が困難であり、不便である。【０００４】  本考案の課題は、ピアノに載置された楽譜のページが演奏中に自然に捲れてしまうのを防ぐと共に演奏者の身長（座高）に応じた楽譜の上下位置の調整が詳細に行えるような低コストで使い勝手のよい器械（書類ばさみ、紙ばさみ等のクリップ。）を提供することである。
【課題を解決するための手段】
【０００５】  上記課題を解決するため、請求項１記載の考案は、
紐と、該紐の各端部にそれぞれ書類を挟むための二つのクリップ部とを備えたクリップにおいて、
前記各クリップ部は、表裏に貫通する穴部と切欠とが形成され、前記紐が該穴部及び切欠部に通されて該紐と連結していることを特徴とする。【０００６】  紐と、該紐の各端部にそれぞれ書類を挟むための二つのクリップ部とを備えたクリップにおいて、
前記各クリップ部は、表裏に貫通する二つの穴部が形成され、前記紐が該二つの穴部の各々に通されて該紐と連結していることを特徴とする。【０００７】  更に、請求項３に記載の考案のように、請求項１又は２に記載の考案において、
前記クリップ部は、
捲られるページ分又は捲られたページ分を挟んで保持するための補助クリップ部を備えるのが好ましい。
【考案の効果】
【０００８】  従って、低コストでクリップが作成可能となり、経済的である。更に、クリップは、寸法や重量が十分に小さいので大変に扱い易く、ピアノに設置したとしてもピアノに対して余分な負荷（荷重）がかかることがない。更に、クリップは、紐の長さを調整することにより楽譜の上下位置に対する微調整が自在に行えるので利便性の向上が図られる。
すなわち、楽譜のページが演奏中に自然に捲れてしまうのを防ぐと共に演奏者の身長（座高）に応じた楽譜の上下位置の調整が詳細に行えるような低コストで使い勝手のよいクリップが提供できる。
【考案を実施するための最良の形態】
【０００９】  以下、図面を参照して本発明を適用した一実施の形態について詳細に説明する。まず、図１、図２を参照して、クリップ１の構成について説明する。以下、クリップ１を、主に、演奏者がピアノを演奏する際に閲覧する楽譜をクリッピング（ｃｌｉｐｐｉｎｇ；挟む）するためのものとして説明するが、楽譜に限らず、他の如何なる種類の書物に対してもクリップ１は適用可能である。【００１０】  クリップ１は、図１に示すように、クリップ部１０ａとクリップ部１０ｂとが紐２０を介して互いに連結して成る。【００１１】  クリップ部１０ａ、１０ｂは、プラスチック等の素材によって成るが、プラスチックに限らず、耐久性があり、軽いものが好ましい。バネ部材１３ａは、金属等の素材によって成るが、金属に限らず、耐久性があり、軽いものが好ましい。紐２０は、合成繊維等の素材によって成るが、これに限らず、耐久性があり、軽いものが好ましい。【００１２】  クリップ部１０ａの構成は、図２（ａ）に示すように、クリップ部材１１ａとクリップ部材１２ａとがバネ部材１３ａを介して互いに連結して成り、図２（ｂ）に示すように、バネ部材１３ａの弾性力を用いて、クリップ部材１１ａとクリップ部材１２ａとの間に挟まれた楽譜Ｂ等の書物をクリッピングする。ここで、図２（ａ）には、クリップ部１０ａの横方向の概観が示されている。
なお、クリップ部１０ｂの構成については、クリップ部１０ａと同様であるため、説明を省略する。【００１３】  クリップ部材１１ａは、図３（ａ）に示すように、ゴム等の材質によって成る滑り止め部材１１１ａを備えると共に、紐２０の幅以上の幅Ｃ１を有し、クリップ部材１１ａの表裏を貫通する穴部１１２ａと、紐２０の幅以上の奥行Ｃ２を有する切欠部１１３ａとが形成されて成る。紐２０は、図３（ｂ）に示すように、穴部１１２ａと切欠部１１３ａとを介してクリップ部１０ａに連結される。このような連結方法によれば、クリップ部１０ａとクリップ部１０ｂとの間の紐２０の長さが自在且つ容易に調整可能となる。ここで、図３（ａ）、図３（ｂ）には、図２（ａ）の図中符号Ａに示す方向から見たクリップ部材１１ａの概観が示されている。【００１４】  クリップ部材１２ａは、図４に示すように、滑り止め部材１１１ａと同様のゴム等の材質によって成る滑り止め部材１２１ａを備えると共に、クリップ部材１２ａの本体１２３ａとの間で略１０枚程度のページ数分を一度に挟んで保持可能な補助クリップ部１２２ａが形成されて成る。ここで、図４には、図２（ａ）の図中符号Ａに示す方向から見たクリップ部材１２ａの概観が示されている。【００１５】  滑り止め部材１１１ａ、１２１ａは、楽譜Ｂが、クリップ部１０ａ、１０ｂによって挟まれる際に滑らずに効果的にクリッピングされるためのものである。このような機能を有するものであれば、滑り止め部材１１１ａ、１２１ａは、ゴムに限らず、どのような素材によって構成されていてもよい。【００１６】  次に、図５、図６を参照して、クリップ１の適用例について説明する。
図５（ａ）、（ｂ）には、紐２０が、グランドピアノの上面に載置された譜面台の支持棒に引っ掛けられ、見開かれた楽譜Ｂの左右の各ページ分がクリップ部１０ａ、１０ｂによりクリッピングされている様子が示されている。これにより、容易にクリップ１をピアノに設置可能となる。また、このような状態で紐２０の長さ（クリップ部１０ａ、１０ｂ間の紐２０の長さ。）を調整すれば、楽譜Ｂの上下位置の微調整が容易且つ自在に行える。【００１７】  更に、図６（ａ）に示すように、同一曲の譜面が記載された数ページ分（一ページ分を含む。）Ｄを、一ページ毎に捲っていく場合には、当該数ページ分が、図６（ｂ）に示すように、クリップ部１０ａ、１０ｂの補助クリップ部１２２ａ、補助クリップ部１２２ｂ（ここで、補助クリップ部１２２ｂは、クリップ部１０ａの補助クリップ部１２２ａに対応するクリップ部１０ｂが有する部材。）によりクリッピンされる。これにより、演奏中にページが捲られる際にも、該捲られるページ分や捲られたページ分が補助クリップ部１２２ａ、補助クリップ部１２２ｂによってしっかりとクリッピングされるので、演奏者は、演奏中に、捲られるページ分や捲られたページ分が自然に捲れてしまわないよう気遣う必要がなく、演奏のみに集中できるようになるので便利である。【００１８】  以上説明したように、クリップ１は、低コストで作成可能であり、経済的である。更に、クリップ１は、寸法や重量が十分に小さいので大変に扱い易く、ピアノに設置したとしてもピアノに対して余分な負荷（荷重）がかかることがない。更に、クリップ１は、紐２０の長さを調整することにより楽譜の上下位置に対する微調整が自在に行えるので利便性の向上が図られる。
すなわち、楽譜のページが演奏中に自然に捲れてしまうのを防ぐと共に演奏者の身長（座高）に応じた楽譜の上下位置の調整が詳細に行えるような低コストで使い勝手のよいクリップが提供できる。【００１９】  なお、本実施の形態における記述は、本考案に係るクリップの一例を示すものであり、これに限定されるものではない。本実施の形態におけるクリップ１の細部構成および詳細動作に関しては、本発明の趣旨を逸脱しない範囲で適宜変更可能である。特に、図示したクリップ１、クリップ部１０ａ、１０ｂ、紐２０の各詳細形状は一例であり、これに限るものではない。【００２０】  例えば、クリップ部材１１ａは、穴部１１２ａと切欠部１１３ａとを有し、この穴部１１２ａ及び切欠部１１３ａを介して紐２０をクリップ部材１１ａに連結させるような構成としたが、これに限らず、図７に示すクリップ部材１１ｃのように、二つの穴部１１２ｃ、１１３ｃを有するクリップ部材をクリップ部材１１ａに替えて用い、この二つの穴部１１２ｃ、１１３ｃを介して紐２０とクリップ部材１１ｃとを連結させるようにしてもよい。
【図面の簡単な説明】
【００２１】
【図１】本考案を適用したクリップの概観を示す図である。
【図２】（ａ）は、図１に示すクリップ部の横方向の概観を示す図であり、（ｂ）は、該クリップ部により楽譜がクリッピンされている様子を示す図である。
【図３】（ａ）は、図２に示すクリップ部を構成する二つのクリップ部材の一方を示す図であり、（ｂ）は、（ａ）に示すクリップ部材により楽譜がクリッピンされる様子を示す図である。
【図４】図２に示すクリップ部を構成する二つのクリップ部材のうち、図３に示すものとは異なるクリップ部材を示す図である。
【図５】（ａ）、（ｂ）は、本考案を適用したクリップがグランドピアノに設置された様子を示す図である。
【図６】（ａ）、（ｂ）は、本考案を適用したクリップが楽譜をクリッピングしている様子を示す図である。
【図７】クリップ部材の他の例を示す図である。
【符号の説明】
【００２２】１  クリップ
１０ａ、１０ｂ  クリップ部
１１１  滑り止め部材
１１２ａ、１１２ｃ、１１３ｃ  穴部
１１３ａ  切欠部
１１ａ    クリップ部材
１２１ａ  滑り止め部材
１２２ａ、１２２ｂ  補助クリップ部
１２３ａ  本体
１２ａ  クリップ部材
１３ａ  バネ部材
２０  紐
【図１】
0003122648.tif 000003
【図２】
0003122648.tif 000004
【図３】
0003122648.tif 000005
【図４】
0003122648.tif 000006
【図５】
0003122648.tif 000007
【図６】
0003122648.tif 000008
【図７】
0003122648.tif 000009